(57)【要約】      （修正有）【課題】下側把持板の高さ調整作業を円滑にする配管支持金具を提供する。【解決手段】上下の把持板１２、１３の間に配管Ｐを介在した状態でナット１６、１７により締結して配管Ｐの高さ調整をする配管支持金具である。上下の把持板１２、１３の両ねじ軸１１の挿通孔１４、１５を長孔とし、ねじ軸は台座１０に対してその軸周りに回転自在に設けられている。ねじ軸１１をその上面からドライバによって回すと、下側把持板１２に回り止め１８された下側ナット１６がねじ軸１１の軸方向に移動する。このとき、両把持板１２，１３はねじ軸１１に対しその長孔１４、１５を介して大きく傾斜可能であるため、その傾斜可能範囲内において、ナット１６は移動し得る。このため、ねじ軸１１の一度の回転による下側把持板１２の高さ調整の幅が大きくその調整が容易であり、配管Ｐを所定高さに容易に支持固定できる。【選択図】図１
0003186486.tif 000002
【実用新案登録請求の範囲】
【請求項１】
台座（１０）に上下方向のねじ軸（１１、１１）を左右に並べて設け、この両ねじ軸（１１、１１）の間の上下に長尺状把持板（１２、１３）を設け、この両把持板（１２、１３）は、その両端の挿通孔（１４、１５）を介して前記両ねじ軸（１１、１１）に挿し通されており、その上下の把持板（１２、１３）の上下からねじ軸（１１、１１）にねじ込んだナット（１６、１７）をねじ込むことによって、両把持板（１２、１３）の間に配管（Ｐ）を介在した状態で上下の把持板（１２、１３）を締結し前記配管（Ｐ）を支持固定して高さ調整する配管支持金具であって、
上記上下の把持板（１２、１３）の少なくとも下側の把持板（１２）の両ねじ軸（１１、１１）の挿通孔（１４、１４）は、把持板（１２）の長手方向に長い長孔とし、かつ、前記両ねじ軸（１１、１１）は、上記台座（１０）に対してその軸周りに回転自在に設けられてその上端でもって回転し得るようになっていることを特徴とする配管支持金具。
【請求項２】
上記上側把持板（１３）の両端のねじ軸挿通孔（１５、１５）も、下側の把持板（１２）の両ねじ軸（１１、１１）の挿通孔（１４、１４）と同様の上側把持板（１３）の長手方向に長い長孔としたことを特徴とする請求項１に記載の配管支持金具。
【考案の詳細な説明】
【技術分野】
【０００１】
この考案は、配水管等の配管を所要高さに支持固定するための配管支持金具に関するものである。
【背景技術】
【０００２】
例えば、配水管は、基礎コンクリート、床、壁等の固定物にその支持金具で設置される。このとき、水の流れを確保するために、その配水管はその長さ方向に勾配をつける。その勾配をつけて支持する金具として、この考案の一実施形態を示す図１を参照して説明すると、台座１０に上下方向のねじ軸１１、１１を左右に並べて設け、この両ねじ軸１１の間の上下に長尺状把持板１２、１３を設け、この両把持板１２、１３は、その両端の挿通孔１４、１５を介して両ねじ軸１１、１１に挿し通された構成のものがある（特許文献１、要約、図１参照）。
【０００３】
この配管支持金具は、上下の把持板１２、１３の上下からねじ軸１１にねじ込んだナット１６、１７をねじ込むことによって、両把持板１２、１３の間に配管Ｐを介在した状態で上下の把持板１２、１３を締結して前記配管Ｐを支持する。
このとき、配管Ｐの太さ（径）や支持高さに応じて、下側ナット１６をねじ回してねじ軸１１に対する下側の把持板１２の高さ調整をおこなって配管Ｐの高さ調整を行う（特許文献１段落０００３〜０００４参照）。
【０００４】
その下側把持板１２の高さ調整時、下側ナット１６をねじ回して上下動させるが、そのナット１６は、下側把持板１２の下側に位置するとともに、床面等の取付面に近く、かつ壁面近くに位置する場合が多いことから、手でもって回すことは困難である。このため、ねじ軸１１を台座１０に対してその軸周りに回転自在に設け、下側ナット１６を周り止めによって回り止めした状態で、ねじ軸１１を回すことによってナット１６を介して下側把持板１２をねじ軸１１に対して上下に移動させる技術がある（特許文献１段落００２１〜００２９、図１〜図７参照）。
【先行技術文献】
【特許文献】
【０００５】
【特許文献１】特開２００１−１２６５４号公報
【考案の概要】
【考案が解決しようとする課題】
【０００６】
上記ねじ軸１１を回転し得る従来技術は、下側ナット１６を回す必要がないことから、把持板１２の高さ調整の作業性は向上したが、下側把持板１２の両端ねじ軸１１の挿通孔は丸孔であって（特許文献１図４参照）、ねじ軸１１に対して下側把持板１２は大きく傾くことはできない。例えば、下側把持板１２の傾斜度合は下側ナット１６の数ねじ山程度の回転による上下動が限度であって、下側把持板１２をねじ軸１１に対して大きく上下動できない。
【０００７】
このため、一方（例えば、右側）のナット１６を数ねじ山分回転させて下側把持板１２の一端を移動させ、次に、他方（例えば、左側）のナット１６を数ねじ山分回転させて同他端を移動させ、さらに、一方のナット１６を数ねじ山分回転させて同一端を移動させる、という下側把持板１２の両端を交互に少しづつ移動させる作用を繰り返して、下側把持板１２を所要の高さに移動させることとなる。この高さ調整作業は繁雑である。
【０００８】
この考案は、以上の実状の下、下側把持板の高さ調整作業を円滑にすることを課題とする。
【課題を解決するための手段】
【０００９】
上記課題を達成するため、この考案は、下側把持板の両ねじ軸の挿通孔を、その長手方向に長い長孔としたのである。
このように、下側把持板の両ねじ軸の挿通孔が長孔であれば、把持板はねじ軸の長孔内の移動によってねじ軸に対して傾斜可能となる。このため、その把持板が傾斜し得る限度において下側ナットをねじ軸上に移動させることができる。
【００１０】
この考案の構成としては、台座に上下方向のねじ軸を左右に並べて設け、この両ねじ軸の間の上下に長尺状把持板を設け、この両把持板は、その両端の挿通孔を介して前記両ねじ軸に挿し通されており、その上下の把持板の上下からねじ軸にねじ込んだナットをねじ込むことによって、両把持板の間に配管を介在した状態で上下の把持板を締結し前記配管を高さ調整して支持する配管支持金具において、上下の把持板の少なくとも下側の把持板の両ねじ軸の両挿通孔は、把持板の長手方向に長い長孔とし、かつ、両ねじ軸は、台座に対してその軸周りに回転自在に設けられてその上端でもって回転し得るようになっている構成を採用することができる。
【００１１】
このように構成すれば、下側把持板はねじ軸の長孔内の移動によってねじ軸に対して大きく傾斜可能であるため、ねじ軸をその上端で回すこと（自転させること）によって、回り止めされた下側ナットは、下側把持板が傾斜し得る限度内においてそのねじ軸の軸方向に大きく移動可能である。このため、左右のねじ軸を交互に回して徐々に下側把持板を上下に動かして所要の高さに調整する必要はなく、一方のねじ軸を回して下側把持板の一方の端部を所要の高さにした後、他方のねじ軸を回し下側把持板の他方の端部を所要の高さにすることができる。
【００１２】
長孔の長さは、通常の作業において、下側把持板の高さ調整の範囲の傾斜状態が確保できるように適宜に設定する。
下側ナットの回り止めは、手で掴んだり、スパナで支持したりして行っても良いが、下側の把持板にその下側ナットの回り止めを設けたものとすることができる。
ねじ軸の上端でもっての回転は、種々の態様が考えられるが、例えば、そのねじ軸の頂面に、マイナス（−）状の溝やプラス（＋）状の溝、四角穴や六角穴等又は四角状突起や六角状突起等を形成し、その溝等に電動ドライバ等の工具の先端を嵌めて行うようにすることができる。
【００１３】
なお、上側把持板のねじ軸の挿通孔も同様の長孔とすれば、下側把持板と同様に、その上側把持板の大きな傾斜状態を確保し得るとともに、上下把持板を傾斜状態で配管を把持できる（図８参照）。また、下記のように、上下の把持板で配管を把持した状態においても、ねじ軸を回すことによって両把持板を大きく傾斜させて配管の高さ調整を行うことができる（図７参照）。
【考案の効果】
【００１４】
この考案は、以上のように、下側把持板をそのねじ軸挿通孔を長孔としてねじ軸に対して大きく傾斜し得るようにしたので、その下側把持板の高さ調整が容易であり、配管を所定高さに容易に調整できる。
【図面の簡単な説明】
【００１５】
【図１】この考案に係る配管支持金具の一実施形態の斜視図
【図２】同実施形態の要部断面図
【図３】同実施形態のねじ軸の頭部平面図
【図４】同実施形態の上側把持板を示し、（ａ）は平面図、（ｂ）は正面図
【図５】同実施形態の下側把持板を示し、（ａ）は平面図、（ｂ）は正面図
【図６】（ａ）〜（ｄ）は同実施形態の一作用説明図
【図７】（ａ）〜（ｄ）は同実施形態の他の作用説明図
【図８】同実施形態の他の使用態様の正面図
【考案を実施するための形態】
【００１６】
この考案に係る配管支持金具の一実施形態を図１〜図８に示し、この実施形態も、従来と同様に、台座１０に上下方向のねじ軸１１、１１を左右に並べて設け、この両ねじ軸１１、１１の間の上下に長尺状把持板１２、１３を設けている（図１参照）。
この両把持板１２、１３の両端部にねじ軸１１の挿通孔１４、１５が形成されており、この各挿通孔１４、１５は、把持板１２、１３の長手方向（図５において左右方向）に長い長孔となっている（図４、図５参照）。この長孔１４、１５の長手方向の長さＴは、下記の把持板１２、１３の傾斜程度を考慮して実験や実作業に基づいて適宜に決定すれば良いが、例えば、その長さＴは把持板１２、１３の長さＬの１０分の１程度が好ましい。この実施形態では、Ｌ：１５０ｍｍに対し、Ｔ：１５ｍｍ、ｔ：１０ｍｍとし、ねじ軸１１の径：約９．５ｍｍ（Ｗ３／８）であって、ねじ軸１１の回転による把持板１２、１３のねじ軸１１に対する直交状態（水平状態）から上下方向への傾斜角度は３０度以上である。これから、挿通孔１４、１５の長径Ｔは同短径ｔの１．５倍程度とすることが好ましい。
【００１７】
両ねじ軸１１、１１はその下端を台座１０に挿通しその突出端を抜け止めかしめ１１ａして台座１０に対しその軸周りに回転（自転）自在に設けられている（図２参照）。また、両ねじ軸１１、１１の頂面には十字状（プラス状）の溝１１ｂが形成されており（図１、図３参照）、この溝１１ｂに電動ドライバ等の工具Ｄの先端を嵌めることによって、ねじ軸１１を回転し得る。
【００１８】
下側把持板１２にはその両端の挿通孔１４の縁に切り起こしによる突片１８が設けられており、この突片１８にナット１６が係止することによってその回り止めがなされる（図１、図６、図７参照）。
上側把持板１３の一方の挿通孔１５は外縁に開口する切欠き１９が形成されており、この切欠き１９を介してねじ軸１１がこの挿通孔１５に出し入れ可能となっている（図１、図６参照）。このため、図１鎖線で示すように、上側把持板１３は、この切欠き１９を介して一方のねじ軸１１から退去させて配管Ｐを下側把持板１２上に載置できる。
【００１９】
この実施形態は以上の構成であり、つぎに、この実施形態による配管Ｐの一の高さ調整作業について図６に基づいて説明する。
まず、この配管支持金具の台座１０を所要の取付面に長孔１０ａを介して釘やビスによって取付固定する。このとき、中央の孔１０ｂのセンターマークによって墨出を行う。また、長孔１０ａであることによって配管Ｐに対する台座１０の位置を調整し得る。
【００２０】
つぎに、図１鎖線に示す上側把持板１３を退去させた状態で、下側把持板１２上に配管Ｐを載置する（図６（ａ）参照）。なお、配管Ｐが既に設置されている場合は、下側把持板１２が配管Ｐの下面をくぐるようにして台座１０を配管Ｐの下方に位置させ、上記ビス止め等によってこの配管支持金具を取付面に取付固定する。この場合、配管Ｐは必ずしも下側把持板１２に載らなくても良い。
この載置状態において、例えば、図６（ｂ）に示すように、一方のねじ軸１１、例えば左側のねじ軸１１をその頂面の溝１１ｂを介して電動ドライバＤによって回すと、下側ナット１６が回り止め１８でもって下側把持板１２に対して固定されているため、ねじ軸１１に対して下側把持板１２が上下動する。このねじ軸１１の回転によって下側把持板１２の一方（左方）の端を所要の高さに位置させる。このとき、下側把持板１２は、ねじ軸１１の長孔状挿通孔１４内の移動によってその傾斜状態が許容される。
【００２１】
続いて、図６（ｃ）に示すように、同様に、他方（右側）のねじ軸１１を回して下側把持板１２の他方の端を所要高さに位置させる。このとき、配管Ｐが所要の高さに位置していなければ、左右のねじ軸１１、１１に対して適宜に同様な回転操作を行い、下側把持板１２の両端の高さ調整を行って配管Ｐを所要の高さに位置させる。これらのとき、上側ナット１７は下側ナット１６（下側把持板１２の一端）の上昇に支障がない位置まで上げておく（弛めておく）。
【００２２】
なお、一度に、下側把持板１２の一方の端（左端）を所要の高さに位置させなくても、両端（左右の端）を交互に上下動させて配管Ｐが所要の高さに位置するようにすることもできる。このとき、従来に比べれば、把持板１２が大きく傾き得てその上下動度合いが大きくとれるため、その作業性は高いものである。
また、ねじ軸１１の回転時、上側ナット１７を手で持った状態であると、上側ナット１７はねじ軸１１の回転に伴って共回りせずに上下動し、上下のナット１６、１７の間隔の変化はない。このため、下側把持板１２の上昇に対して上側ナット１７が邪魔にならない。
【００２３】
この下側把持板１２の高さ調整が終われば、図６（ｄ）、図１の鎖線から実線で示すように、上側把持板１３を回転させてその一端を切欠き１９を介してねじ軸１１に嵌める。その後、上側ナット１７をねじ回して上側把持板１３上面に圧接固定し、上下の把持板１２、１３で配管Ｐを把持締結して支持固定する。これによって、この配管支持金具による配管Ｐの高さ調整は終了する。
【００２４】
この実施形態における配管Ｐの他の高さ調整作業は図７に示す通りであり、上記と同様に、台座１０を取付面に固定した後、下側把持板１２に配管Ｐを載置し、その配管Ｐの上側に上側把持板１３を配置した状態で、上側ナット１７を上方に十分に弛めて位置させる。例えば、上側把持板１３に対して１０ｍｍ程度上側に位置させる（図７（ａ）参照）。
【００２５】
この状態で、上記と同様な作用によって、例えば、図７（ｂ）に示すように、左側のねじ軸１１を回して下側把持板１２の一端を上下動させ、続いて、図７（ｃ）に示すように、右側のねじ軸１１を回して下側把持板１２の他端を上下動させる。これらの下側把持板１２の上下動に伴って配管Ｐ及び上側把持板１３を上下動させて配管Ｐを所要の高さとする。このとき、上側把持板１３の両ねじ軸１１の挿通孔１５も長孔であるため、上側把持板１３も下側把持板１２に追従して同様に大きく傾くことができる（図７（ｂ）参照）。
なお、上側ナット１７を手で持った状態であると、上記と同様に、下側把持板１２及び上側把持板１３の上昇に対して上側ナット１７が邪魔にならない。
その後、上側ナット１７をねじ回して上側把持板１３に圧接し、両ナット１６、１７を介し上下の把持板１２、１３によって配管Ｐを締結して支持固定する（図７（ｄ）参照）。
【００２６】
この実施形態においては、上下の把持板１２、１３の各ねじ軸１１の各挿通孔１４、１５を長孔としたので、図８に示す両把持板１２、１３が傾斜状態でも配管Ｐを支持固定できる。すなわち、挿通孔１４、１５内のねじ軸１１の移動可能範囲内において上下の把持板１２、１３は水平状態も含めた傾斜状態（ねじ軸１１に対して傾いた状態）で配管Ｐを支持し得る。
因みに、この実施形態においては、配管Ｐの呼び径が４０〜８０ｍｍのものにおいて、上下の把持板１２、１３が水平状態は勿論、傾斜状態であっても十分な強度をもって配管Ｐを支持固定できた。
なお、上側把持板１３の両ねじ軸１１の各挿通孔１５は、長孔とせず、ねじ軸１１が動き得る円孔（バカ孔）でも良い。
【符号の説明】
【００２７】
１０  台座
１１  ねじ軸
１１ａ  ねじ軸の抜け止めかしめ
１１ｂ  ねじ軸回転用十字溝
１２  下側把持板
１３  上側把持板
１４  下側把持板の長孔状ねじ軸挿通孔
１５  上側把持板の長孔状ねじ軸挿通孔
１６  下側把持板締付用ナット
１７  上側把持板締付用ナット
１８  ナットの回り止め片
１９  切欠き
【図１】
0003186486.tif 000003
【図２】
0003186486.tif 000004
【図３】
0003186486.tif 000005
【図４】
0003186486.tif 000006
【図５】
0003186486.tif 000007
【図６】
0003186486.tif 000008
【図７】
0003186486.tif 000009
【図８】
0003186486.tif 000010